(57)【要約】【課題】  循環装置によって循環する洗濯水がドラムの内側に円滑に供給されるように改善した構造を有するドラム洗濯機を提供する。【解決手段】  本発明に係るドラム洗濯機は、洗濯機の外観をなすキャビネット、洗濯水が貯水されるように前記キャビネットの内部に備えられるタブ、前記タブの内側に回転可能に取り付けられるドラム、前記タブ内に洗濯水をポンピングして、前記ドラムの内部に再供給する循環ポンプ、及び前記循環ポンプとタブの間に循環流路を形成する循環ホースを含んでなることを特徴とする。【選択図】      図２
2006192249.tif 000002
【特許請求の範囲】
【請求項１】
洗濯機の外観をなすキャビネット、
洗濯水が貯水されるように前記キャビネットの内部に備えられるタブ、
前記タブの内側に回転可能に取り付けられるドラム、
前記タブ内に洗濯水をポンピングして、前記ドラムの内部に再供給する循環ポンプ、及び
前記循環ポンプとタブの間に循環流路を形成する循環ホースを含むドラム洗濯機。
【請求項２】
前記タブの前方部は、前記キャビネットの前面に連結されることを特徴とする請求項１に記載のドラム洗濯機。
【請求項３】
前記循環ホースを介して案内された洗濯水が前記ドラムの内側に導かれるように、前記タブの前方部には前記循環ホースと連結される流入管を含んでなることを特徴とする請求項２に記載のドラム洗濯機。
【請求項４】
前記流入管は、前記タブの前方部から突出することを特徴とする請求項３に記載のドラム洗濯機。
【請求項５】
前記流入管は、前記タブと一体に形成されることを特徴とする請求項３に記載のドラム洗濯機。
【請求項６】
前記流入管は前記タブと独立的に備えられ、締結手段によって前記タブの前方部に固定されることを特徴とする請求項３に記載のドラム洗濯機。
【請求項７】
前記流入管は、前記タブの上端から一定の角度離隔した位置に備えられることを特徴とする請求項３に記載のドラム洗濯機。
【請求項８】
前記流入管を介して吐き出される洗濯水を前記ドラムの内側に導くガイドをさらに含むことを特徴とする請求項３に記載のドラム洗濯機。
【請求項９】
前記ガイドは、前記ドラムの内側空間に向けて下向き傾斜して延長されることを特徴とする請求項８に記載のドラム洗濯機。
【請求項１０】
前記ガイドは、前記タブと一体に形成されることを特徴とする請求項８に記載のドラム洗濯機。
【請求項１１】
前記ガイドは前記タブと独立的に備えられ、締結手段によって前記タブの前端に固定されることを特徴とする請求項８に記載のドラム洗濯機。
【請求項１２】
前記タブの後方にはベアリングハウジングが固定され、前記ベアリングハウジングの延長された下部は、サスペンションスプリング及びダンパーによって支持されることを特徴とする請求項１に記載のドラム洗濯機。
【請求項１３】
前記ベアリングハウジングの延長された下部は、‘Ｌ’字状で前方側に屈曲することを特徴とする請求項１２に記載のドラム洗濯機。
【請求項１４】
前記延長された下部には、強度補強用ブラケットが結合されることを特徴とする請求項１３に記載のドラム洗濯機。
【請求項１５】
洗濯機の外観をなすキャビネット、
洗濯水が貯水されるように前記キャビネットの内部に備えられ、前方部が前記キャビネットの前面に連結されるタブ、
前記タブの内側に回転可能に取り付けられるドラム、
前記タブ内に洗濯水をポンピングして、前記ドラムの内部に再供給する循環ポンプ、
前記循環ポンプとタブの間に循環流路を形成し、一端が前記タブの前方部と連結される循環ホースを含むことを特徴とするドラム洗濯機。
【請求項１６】
洗濯機の外観をなすキャビネット、
洗濯水が貯水されるように前記キャビネットの内部に備えられ、前方部が前記キャビネットの前面に連結されるタブ、
前記タブの内側に回転可能に取り付けられるドラム、
前記タブ内に洗濯水をポンピングして、前記ドラムの内部に再供給する循環ポンプ、
前記循環ポンプとタブの間に循環流路を形成する循環ホース、
前記循環ホースを介して吐き出される洗濯水を導くように、前記ドラムの内側空間に向けて下向き傾斜して延長されたガイドを含むことを特徴とするドラム洗濯機。
【発明の詳細な説明】
【技術分野】
【０００１】
本発明はドラム洗濯機に関し、特にドラムの内部に供給された洗浄水を循環させる装置を有するドラム洗濯機に関するものである。
【背景技術】
【０００２】
一般に、ドラム洗濯機は、洗剤と洗濯水及び洗濯物がドラム内に投入された状態でドラムを回転させ、洗濯を行う装置である。この際、前記洗濯物と洗濯水との摩擦及び洗剤の乳化作用によって洗濯が進むと同時に、前記ドラムが回転することにより、前記洗濯物が上側に持ち上げられた後落下する過程が繰り返される。
【０００３】
したがって、前記ドラム洗濯機は洗濯物の損傷が殆どなく、洗濯物が互いに絡まずに、叩いたり揉み洗いをする洗濯効果を持つ。
【０００４】
一方、前記洗濯機の初期作動時に前記タブの内部に洗濯水が給水され、前記ドラムの内部に収容された洗濯物を濡らす。前記洗濯物が十分に濡れた後に前記ドラムが回転して洗濯が行われることが好ましい。
【発明の開示】
【発明が解決しようとする課題】
【０００５】
しかしながら、従来技術による洗濯機では、前記給水された洗濯水によって前記洗濯物が濡れる時間が多くかかり、このため、全体洗濯時間が増加するという問題があった。
【０００６】
また、前記洗剤と洗濯水がよく混ざっていない状態で洗濯が行われることで洗濯効率が低下するという問題もあった。
【０００７】
本発明は上記のような問題点を解決するためのもので、その目的は、循環装置によって循環する洗濯水がドラムの内側に円滑に供給されるように改善した構造を有するドラム洗濯機を提供することにある。
【課題を解決するための手段】
【０００８】
上記目的を達成するために、本発明に係るドラム洗濯機は、洗濯機の外観をなすキャビネット、洗濯水が貯水されるように前記キャビネットの内部に備えられるタブ、前記タブの内側に回転可能に取り付けられるドラム、前記タブ内に洗濯水をポンピングして、前記ドラムの内部に再供給する循環ポンプ、及び前記循環ポンプとタブの間に循環流路を形成する循環ホースを含んでなることを特徴とする。
【０００９】
ここで、前記タブの前方部は、前記キャビネットの前面に連結されることが好ましい。
【００１０】
前記循環ホースを介して案内された洗濯水が前記ドラムの内側に導かれるように、前記タブの前方部には前記循環ホースと連結される流入管を含んでなる。前記流入管は、前記タブの前方部から突出することが好ましい。
【００１１】
前記流入管は、前記タブと一体に形成される。あるいは、前記流入管は前記タブと独立的に備えられ、締結手段によって前記タブの前方部に固定される。また、前記流入管は、前記タブの上端から一定の角度離隔した位置に備えられる。
【００１２】
また、前記流入管を介して吐き出される洗濯水を前記ドラムの内側に導くガイドをさらに含むことを特徴とする。
【００１３】
前記ガイドは、前記ドラムの内側空間に向けて下向き傾斜して延長される。前記ガイドは、前記タブと一体に形成される。あるいは、前記ガイドは前記タブと独立的に備えられ、締結手段によって前記タブの前端に固定される。
【００１４】
前記タブの後方にはベアリングハウジングが固定され、前記ベアリングハウジングの延長された下部は、サスペンションスプリング及びダンパーによって支持されることが好ましい。
【００１５】
ここで、前記ベアリングハウジングの延長された下部は、‘Ｌ’字状で前方側に屈曲する。前記延長された下部には、強度補強用ブラケットが結合される。
【００１６】
一方、上記目的を達成するために、本発明に係るドラム洗濯機は、洗濯機の外観をなすキャビネット、洗濯水が貯水されるように前記キャビネットの内部に備えられ、前方部が前記キャビネットの前面に連結されるタブ、前記タブの内側に回転可能に取り付けられるドラム、前記タブ内に洗濯水をポンピングして、前記ドラムの内部に再供給する循環ポンプ、前記循環ポンプとタブの間に循環流路を形成し、一端が前記タブの前方部と連結される循環ホースを含むことを特徴とする。
【００１７】
尚、上記目的を達成するために、本発明に係るドラム洗濯機は、洗濯機の外観をなすキャビネット、洗濯水が貯水されるように前記キャビネットの内部に備えられ、前方部が前記キャビネットの前面に連結されるタブ、前記タブの内側に回転可能に取り付けられるドラム、前記タブ内に洗濯水をポンピングして、前記ドラムの内部に再供給する循環ポンプ、前記循環ポンプとタブの間に循環流路を形成する循環ホース、前記循環ホースを介して吐き出される洗濯水を導くように、前記ドラムの内側空間に向けて下向き傾斜して延長されたガイドを含むことを特徴とする。
【発明の効果】
【００１８】
本発明に係るドラム洗濯機は次のような効果を有する。
【００１９】
前記ドラム洗濯機のキャビネットに前記タブの前方部が直接連結されるので、前記循環ポンプに連結された循環ホースが前記前方部に備えられた流入管に安定的に固定される。
これにより、前記循環ポンプを介してタブの内側に再供給される洗濯水がドアに流れることが防止される。
【００２０】
また、前記タブの前方部を介して循環した洗濯水が前記ドラムの内側に円滑に供給されるので、洗濯物の濡れが充分に行われる。これにより、洗濯及び濯ぎ性能を向上させることができる。
【発明を実施するための最良の形態】
【００２１】
以下、本発明に係るドラム洗濯機の好適な実施の形態について、添付の図面に基づいて詳細に説明する。
【００２２】
図１は本発明の一実施例によるドラム洗濯機の断面図である。
図１に示したように、従来技術によるドラム洗濯機は、キャビネット１、タブ２、ドラム３、及び駆動モーター５を含む。ここで、前記キャビネット１は前記洗濯機の外観をなし、前記キャビネットの内側には、洗濯水が貯水される前記タブ２がダンパー７とスプリング６によって支持された状態で設けられる。前記ドラム３は、前記タブ２内に回転可能に設置され、その後面は駆動モーター５と連結される。
【００２３】
前記駆動モーター５は、ローター５ｂとステーター５ａを含み、前記ローター５ｂの回転力を直接ドラム３に伝達するために、ドラムに連結された駆動軸４がローターに直接連結される。
【００２４】
前記キャビネット１の前面には、ドラム３の開口部と対応する位置にドア８が備えられ、前記ドアとドラムの間には、ドラム内の密封を維持するガスケット９が備えられる。前記ドア８の上部には、ユーザーの操作命令を入力され、洗濯機全体の作動を制御するコントロールパネル１０が備えられる。
【００２５】
前記キャビネット１の後面には、給水手段（図示せず）と連結され、温水及び冷水を供給するように給水バルブ１２が設けられる。また、前記キャビネット１の後方の下側には、前記タブ２から洗濯水を外部に強制排水させるように排水ホース１３と連結された排水ポンプ１４が設けられる。
【００２６】
一方、前記ドラム洗濯機は、タブ２内に貯水された洗濯水を循環ポンプ１６を用いてポンピングし、循環させることで洗濯及び濯ぎ性能を向上させる。このために、前記キャビネット１の下部には、前記タブ２の内部の洗濯水を循環させる循環ポンプ１６が備えられる。
前記循環ポンプ１６は、前記ポンピングされた洗濯水をポンピングして前記タブ２の上部に洗濯水を移動させる。この際、前記ポンピングされた洗濯水は、前記循環ポンプ１６と連結された循環ホース１８に沿って導かれ、前記循環ホース１８の一端は、前記タブ２の前方に備えられたガスケット９に連結される。
【００２７】
したがって、前記ポンピングされた洗濯水は前記タブ２の内部に再び供給され、これを介して落下する洗濯水によって洗濯物の濡れがより容易に成される。また、前記洗濯水の循環過程を介して洗濯水と洗剤がよく混合されるので、ドラム３の駆動による洗濯工程の実行時に洗濯効率が向上する。
【００２８】
一方、前記ガスケット９の一側には、前記循環ホース１８の一端と連結される流入管９ａが備えられる。ここで、前記流入管９ａは、前記ガスケット９と独立的に備えられることもできるが、一体に形成されることが好ましい。
【００２９】
以上のような構成により、洗濯及び濯ぎ工程時に前記タブ２内に貯水された洗濯水は、循環ポンプ１６によって循環ホース１８に沿ってポンピングされ、ドラム３の内部に再流入しながら洗濯及び濯ぎ性能を向上させる。その後、洗濯水の排出時には循環ポンプ１６の作動が停止した状態で排水ポンプ１４が作動して、前記タブ２内の洗濯水が排水ホース１３を介して外部に排出される。
【００３０】
一方、前記ガスケット９はゴム材質からなるため、洗濯及び濯ぎ工程時に前記ガスケット９の揺れが激しい。このため、前記流入管９ａを介して供給される洗濯水がドラム３の内部に円滑に供給されず、ドア８のガラス８ａに乗って下に流れる現象が発生する。このような場合、前記循環する洗濯水によって洗濯物が充分に濡れにくい。
【００３１】
上記の問題点を改善した本発明の他の実施例によるドラム洗濯機を説明すると次の通りである。
【００３２】
図２は本発明の他の実施例によるドラム洗濯機の断面図で、図３は図２のドラム洗濯機の正面図である。
図２及び図３に示したように、前記ドラム洗濯機は、キャビネット１０１、タブ１２０、及びドラム１３０を含んでなる。ここで、前記キャビネット１０１は前記洗濯機の外観をなし、前方に洗濯物の投入のための開口部が形成される。
【００３３】
前記キャビネット１０１の内側にはその前方に開口部が形成され、内側に洗濯水が貯水されるタブ１２０が設けられる。前記タブ１２０は、振動を低減させるスプリング１５２及びダンパー１５０によって支持される。
【００３４】
また、前記タブ１２０の内側には、前方が開口した円筒状のドラム１３０が回転可能に備えられる。前記ドラム１３０の内周面には、回転時に洗濯物を持ち上げて落下させる複数個のリフター１３４が一定の角度の間隔で設置されることが好ましい。
【００３５】
前記キャビネット１０１は直六面体の形状からなり、前記キャビネットの前面にはフロントパネル１２０が備えられる。前記フロントパネル１０２には、前記タブ１２０に洗濯物を収納できるように開口部が形成されるが、前記開口部の一方には、ドア１１０が回転可能に連結される。ここで、前記フロントパネル１０２は前記キャビネット１０１と一体に備えられることもできる。
【００３６】
一方、前記タブ１２０の前方には、円周方向に沿って複数個のボス１２１が形成され、ボス１２１にボルト１０５が締結されることで、前記タブ１２０の前面が前記フロントパネル１０２に固定される。ここで、前記ボルトは、前記フロントパネル１０２の前方から挿入され、締結されることが好ましい。
【００３７】
また、前記タブ１２０の後方には、タブ１２０の外径よりやや小さい直径を有するバックスパイダー１２２が備えられる。また、前記タブ１２０の後方部とバックスパイダー１２２の間には、洗濯水の漏洩を遮断するガスケット１２７が備えられる。前記バックスパイダー１２２の後方には、第１ベアリングハウジング１２４と第２ベアリングハウジング１２５とが組立てられる。前記第１、２ベアリングハウジング１２４、１２５の内部には、ドラム１３０の後方に結合された駆動軸１３１を回転可能に支持するベアリング１２６が備えられる。
【００３８】
そして、前記ドラム１３０の後方部には、前記駆動軸１３１の内側の端部が固定されるドラムスパイダー１３２が固定される。また、前記ドラム１３０の前方部には、前記ドラム１３０の回転がスムースに成されるようにバランスウェート１３３が備えられる。前記ドラム１３０の駆動軸１３１は、上述したバックスパイダー１２２と第１、２ベアリングハウジング１２４、１２５を貫通し、その一端が駆動モーター１４０と連結される。
【００３９】
ここで、前記駆動モーター１４０は、前記第２ベアリングハウジング１２５の後面に固定されるステーター１４１と、前記駆動軸１３１と連結されるローター１４２とを含んでなる。ここで、前記ステーター１４１に電源が供給されると、前記ローター１４２とステーター１４１の間に回転磁界が形成され、前記ローター１４２が前記ステーター１４１の外周面に沿って回転する。
【００４０】
一方、前記バックスパイダー１２２と連結された第１ベアリングハウジング１２４の延長された下部の両側には、前記タブ１２０の後方部を支持するための２つのサスペンションスプリング１５２が装着される。ここで、第１ベアリングハウジング１２４の延長された下部は、大略‘Ｌ’字状で前方側に屈曲し、前記延長された部分は‘Ｌ’字状のブラケット１２８と結合する。
【００４１】
また、前記ブラケット１２８の前方は、ドラム１３０の振動を吸収するダンパー１５０が結合される。ここで、前記ダンパー１５０は、傾斜した状態でキャビネットの後方に支持され、これによって前記ベアリングハウジングの上下及び前後方向の振動を共に効果的に吸収することができる。
【００４２】
そして、前記サスペンションスプリング１５２及びダンパー１５０は、前記ドラム１３０、タブ１２０、及びベアリングハウジングを含む駆動モーター１４０の組立体の重量中心に対応する位置に設置されるように、前記ブラケット１２８の長さをさらに変更することもできる。
【００４３】
一方、前記キャビネット１０１の後方部の下部には排水ポンプ１６５が設けられる。前記排水ポンプ１６５は、洗濯完了後に前記タブ１２０内の洗濯水を伸縮性材質の第１排水ホース１６６及び第２排水ホース１６７を介して外部にポンピングして排出させる。
【００４４】
前記キャビネット１０１の下部には、前記タブ１２０に給水された洗濯水を前記タブ１２０の外部にポンピングして、前記タブ１２０内に再び供給させる循環ポンプ１６０が備えられる。前記循環ポンプ１６０の入口は前記タブ１２０の下部と連結された伸縮性材質の第１循環ホース１６１と連結され、循環ポンプ１６０の出口は前記タブ１２０の上部と連結された伸縮性材質の第２循環ホース１６２と連結される。
【００４５】
図４は図２の‘Ａ’部分の拡大図で、本発明に係る循環ホースの連結部分を拡大した断面図である。
図４に示したように、前記タブ１２０の前方部には流入管１７１が突出し、前記第２循環ホース１６２の一端は前記流入管１７１に連結される。ここで、前記流入管１７１は、前記タブ１２０からガイド１７２側の前記タブ１２０の前方部に離隔した位置で且つタブ１２０に平行に備えられることが好ましい。さらに好ましくは、前記流入管１７１は、前記タブ１２０からガイド１７２側の前記タブ１２０の前方部に離隔した位置で且つタブ１２０に平行に備えられる。
【００４６】
そして、前記流入管１７１の直下部にはガイド１７２が備えられ、前記ガイド１７２は、前記流入管１７１を介して流入した洗濯水をドラム１３０の内側に導く。このために、前記ガイド１７２は、前記ドラム１３０の開口部に向けて下向き傾斜して延長されることが好ましい。また、前記流入管１７１の一側には、前記循環した洗濯水を噴射させる噴射用ノズルが備えられることが好ましい。
【００４７】
一方、前記流入管１７１及びガイド１７２は、前記タブ１２０の前方部に一体に形成されるか、前記タブ１２０の前方部と独立的に備えられることもできる。前記流入管１７１及びガイド１７２がそれぞれ前記タブ１２０の前方部と独立的に備えられた場合、前記流入管１７１及びガイド１７２は、前記前方部に接着剤又はネジなどを用いて固定されることが好ましい。
【００４８】
上記のように構成された本発明に係るドラム洗濯機は次のように作動する。
【００４９】
ユーザーがドラム１３０内に洗濯物を投入した後、電源を印加してドラム洗濯機を駆動すると、キャビネット１０１に備えられた給水装置（図示せず）を介してタブ１２０の内部に洗濯水が給水される。ここで、前記タブ１２０には洗剤が混合された洗濯水が給水されることが好ましい。
【００５０】
前記給水が完了すると、駆動モーター１４０に信号が印加され、前記ローター１４２が前記ステーター１４１の外周面に沿って回転し、これによって前記ローター１４２と連結されたドラム１３０が回転しながら洗濯が行われる。この際、前記循環ポンプ１６０が周期的に作動することにより、前記タブ１２０内の洗濯水の一部が第１循環ホース１６１及び第２循環ホース１６２を経て循環する。
【００５１】
前記第２循環ホース１６２を介して前記循環ポンプ１６０によってポンピングされた洗濯水は、前記流入管１７１を介してタブ１２０内に流入するが、前記洗濯水はガイド１７２によって前記ドラム１３０の内側に導かれ、洗濯物に噴射される。この際、前記噴射された洗濯水は洗濯物と衝突し、洗剤が混合された洗濯水に洗濯物が充分に濡れる。
【００５２】
一方、洗濯及び濯ぎ工程の途中、又は洗濯及び濯ぎ工程が全て完了した後洗濯水が外部に排水される場合には、前記循環ポンプ１６０の作動が停止した状態で排水ポンプ１６５が作動して、前記第１及び第２排水ホース１６６、１６７を介してタブ１２０内の洗濯水が外部に排出される。
【００５３】
上記の実施例は制限的なものではなく、例示的なものと見なされ、よって本発明は上述した詳細な説明に限定されず、請求項の範疇及びその同等範囲内で多様な変更が可能である。
【図面の簡単な説明】
【００５４】
【図１】本発明の一実施例によるドラム洗濯機の断面図である。
【図２】本発明の他の実施例によるドラム洗濯機の断面図である。
【図３】図２のドラム洗濯機の正面図である。
【図４】図２のＡ部分の拡大図である。
【符号の説明】
【００５５】
１０１    キャビネット
１２０    タブ
１２２    バックスパイダー
１２４、１２５    第１、２ベアリングハウジング
１２６    ベアリング
１２８    ブラケット
１３０    ドラム
１３１    駆動軸
１３２    ドラムスパイダー
１４０    駆動モーター
１４１    ステーパー
１４２    ローター
１５０    ダンパー
１５２    サスペンションスプリング
１６５    排水ポンプ
１６６、１６７    第１、２排水ホース
１６０    循環ポンプ
１６１、１６２    第１、２循環ホース
１７１    流入管
１７２    ガイド
【図１】
2006192249.tif 000003
【図２】
2006192249.tif 000004
【図３】
2006192249.tif 000005
【図４】
2006192249.tif 000006